(57)【要約】本発明は内部の物品を加熱する炉内に電気加熱部材を取付ける構造であって、炉壁は高品質煉瓦で構成された炉断熱材（４）を含み、それぞれの電気加熱部材（２）の加熱部分（６）は作動において垂直方向に、炉壁内面と平行に配置される前記取付け構造に関する。本発明は、各加熱部材（２）の電線または導電体（７，８）がカセット（９）内に取付けられてそこに形成されているチャンネル（１０，１１）内を延在されること、加熱部材の加熱部分（６）が突出てカセット（９）の長手方向軸線と角度をなすこと、炉断熱材（４）が各カセットにつき一つの穴（１２）を含み、この穴は内端部よりも外端部で大きくされ、加熱部材（２）の加熱部分（６）がその穴（１２）を通して挿入され、路壁と平行な前記作動位置となるようにされるときにカセット（９）を垂直面内で回転できるようにしていること、および楔状本体（１）が備えられ、その形状は穴（１２）の形状で形成された空の空間形状と同じであり、カセット（９）が穴の前記作動位置に配置されるときに穴（１２）およびカセット（９）の間に位置され、前記本体（１３）は作動時に前記空の空間内に配置されることを特徴とする。
2005532521.tif 000002
【特許請求の範囲】
【請求項１】
内部の物品を加熱する炉内に電気加熱部材を取付ける構造で、炉壁は高品質煉瓦で構成された炉断熱材（４）を含み、それぞれの電気加熱部材（２）の加熱部分（６）は作動時に垂直方向に、炉壁内面と平行に配置される前記取付け構造であって、各加熱部材（２）の電線または導電体（７，８）がカセット（９）内に取付けられてそこに形成されているチャンネル（１０，１１）内を延在されること、加熱部材の加熱部分（６）が突出てカセット（９）の長手方向軸線と角度をなすこと、炉断熱材（４）が各カセット（９）につき一つの穴（１２）を含み、この穴は内端部よりも外端部で大きくされ、加熱部材の加熱部分（６）がその穴（１２）を通して挿入され、路壁と平行な前記作動位置となるようにされるときにカセット（９）を垂直面内で回転できるようにしていること、および楔状本体（１）が備えられ、その形状は穴（１２）の形状で形成された空の空間形状と同じであり、カセット（９）が穴の前記作動位置に配置されるときに穴（１２）およびカセット（９）の間に位置され、前記本体（１３）は作動時に前記空の空間内に配置されることを特徴とする取付け構造。
【請求項２】
前記角度が３０゜〜６０゜の範囲であることを特徴とする請求項１に記載された構造。
【請求項３】
各カセット（９）が細長く、ほぼ四角形の横断面を有すことを特徴とする請求項１または請求項２に記載された構造。
【請求項４】
炉断熱材（４）およびカセット（９）が酸化アルミニウム煉瓦のような高品質煉瓦で構成されたことを特徴とする請求項１、請求項２または請求項３に記載された構造。
【請求項５】
前記本体（１３）が酸化アルミニウム煉瓦のような高品質煉瓦で構成されたことを特徴とする請求項４に記載された構造。
【請求項６】
前記穴（１２）がほぼ四角形の横断面を有することを特徴とする請求項１、請求項２、請求項３、請求項４または請求項５に記載された構造。
【請求項７】
穴（１２）が水平の下面、平行な垂直側縁、および水平面に対して角度をなす上面を有することを特徴とする請求項６に記載された構造。
【請求項８】
カセット（９）が作動位置にて穴（１２）の上面に接触され、また本体（１３）がカセット（９）の下側に挿入されることを特徴とする請求項７に記載された構造。
【請求項９】
加熱すべき物品を内部に挿入される処理チューブ（３）を含み、空間（５）が処理チューブと炉断熱材との間に形成され、それぞれの電気加熱部材（２）の加熱部分（６）が作動時に処理チューブの外面と平行に前記空間（５）内に配置されることを特徴とする請求項１から請求項８までのいずれか一項に記載された構造。
【発明の詳細な説明】
【技術分野】
【０００１】
本発明は炉に加熱部材を取付ける構造に関する。
【背景技術】
【０００２】
内部の物品を加熱する処理チューブを含む電気加熱炉またはオーブンはこの分野で周知である。例えば酸化アルミニウム製煉瓦のような高品質の煉瓦で構成される炉の断熱材は処理チューブの外側に空隙を形成する位置関係で備えられる。そのような炉またはオーブンは、一般に円形の横断面を通常有しており、典型的に灼１７００゜Ｃで作動される。
【０００３】
使用される加熱部材は炉の周囲に等距離に配置され、処理チューブの外面と煉瓦絶縁体の内面との間に形成される空間内に加熱部分が位置付けられる。加熱部材のコンタクトは煉瓦絶縁体の外側、すなわち炉の外部に配置される。加熱部材の導電体は煉瓦絶縁体の穴を通して延在される。
【０００４】
前述の空間は炉の半径方向に狭い寸法を有し、したがって加熱部材の加熱部分は処理チューブの外面と平行に配置される。加熱部分の長さは前記空間の幅よりもかなり大きい。
【０００５】
この方法の重大な問題点は、炉の外部から加熱部材を交換できないことである。したがって、加熱部材に手を届かせて交換を可能にするためには、炉を先ずクールダウンした後、処理チューブを取外すことが必要となる。加熱部材は、炉の内方へ引っ張ることで処理チューブと一緒に取外される。このことから、加熱部材の交換は労力であると共に複雑である。
【発明の開示】
【発明が解決しようとする課題】
【０００６】
この問題点は本発明により解決される。本発明は、炉の外部から、処理チューブを取外すことなく前記加熱部材を交換できるようにする構造を提供する。
【課題を解決するための手段】
【０００７】
したがって、本発明は内部で物品を加熱する炉内に電気加熱部材を取付ける構造で、炉壁は高品質煉瓦で構成された炉断熱材を含み、それぞれの電気加熱部材の加熱部分は作動において垂直方向に、炉壁内面と平行に配置される取付け構造に関するものであって、この構造は各加熱部材の電線または導電体がカセット内に取付けられてそこに形成されているチャンネル内を延在されること、それぞれの加熱部材の加熱部分が突出てカセットの長手方向軸線と角度をなすこと、炉断熱材が各カセットにつき一つの穴を含み、この穴は内端部よりも外端部で大きくされ、加熱部材の加熱部分がその穴を通して挿入され、路壁と平行な作動位置となるようにされるときにカセットを垂直面内で回転できるようにしていること、および楔状本体が備えられ、その形状は穴の形状で形成された空の空間形状と同じであり、カセットが穴の作動位置に配置されるときに穴およびカセットの間に位置され、前記本体は作動時に前記空の空間内に配置されることを特徴とする。
【０００８】
本発明は、添付図面に示された例示実施例を参照して、以下に部分的に非常に詳細に説明される。
【実施例１】
【０００９】
図１は、加熱部材２を備えた炉１の部分を示している。図示した炉は、内部の物体を加熱するように意図された処理チューブ３を含む形式の炉である。
【００１０】
本発明は処理チューブを含む炉を引用して以下に説明するが、本発明は処理チューブの無い炉にも等しく適用できることは理解されるであろう。
【００１１】
処理チューブ３の外部に、処理チューブと空隙を形成する位置関係で炉断熱材４が配置され、炉断熱材は高品質の煉瓦で構成されている。処理チューブ３および炉断熱材４は通常は円筒形であり、垂直方向に位置された長手方向軸線を有する。
【００１２】
図２から分かるように、空間５は処理チューブと炉断熱材との間に配置される。同様に図２から分かるように、作動時には、それぞれの加熱部材２の加熱部分６は前記空間５内に垂直に、炉壁内面と平行に配置される。加熱部材は作動時には垂直に吊下げられねばならない。何故なら高温となるからである。
【００１３】
前述の空間は前記加熱部分よりも僅かに広いだけである。
【００１４】
本発明によれば、各々の加熱部材２の電線または導電体７，８はカセット９に取付けられ、図３に示されるようにそのカセットの内部のチャンネル１０，１１を延在される。それぞれの加熱部材の加熱部分６は突出してカセット９の長手方向軸線と角度をなしている。
【００１５】
チャンネルは円筒形の穴の形態をしており、図３に示されるように上方へ向かって開放されることができる。加熱部材はセラミックス支持体１８上のチャンネル内に適当に係止されて、加熱部材がカセットに突当たることを防止している。
【００１６】
加熱部材は適当な種類の者であり、本願特許出願人によって供給される。
【００１７】
図１に示されるように、炉断熱材４は各カセット９に関して穴１２を含む。穴１２は外端が内端よりも大きい。このことは、穴１２を通して処理チューブ３と平行な前記作動位置になるように加熱部分６が挿入されるとき、カセット９が垂直面内で回転することを可能にする。これは図２に示されており、符号９ａのカセットは位置９ｂへ移動され、最終的に位置９ｃへ移動される。明瞭化のために位置９ｃは上に重ねられたカセットによって示されている。
【００１８】
この構造はまた楔状本体１３も含み、その形状は穴１２の形状で形成された空の空間形状と同じであり、カセットが前記穴の作動位置に配置されるときに穴１２およびカセット９の間に位置される。
【００１９】
先ず楔状本体を取外した後、カセットを取外すことで加熱部材が取外される。この場合、カセットは図３に示される設計を有する。加熱部材のコンタクト・シュー１４，１５が弛められ、加熱部材ホルダー１６が取外され、加熱部材は図３に見られるように斜め下方へ移動させて取出される。
【００２０】
その後、新しい加熱部材を上述の手順と逆順にて取ることができる。
【００２１】
したがって、炉が作動中でも加熱部材を取外しおよび取付けることが可能であり、これは既知技術に優る大きな利点を与える。
【００２２】
本発明の好ましい一実施例によれば、加熱部材が上述した方法で挿入および抜出しすることができるように、加熱部材は３０゜〜６０゜の間の角度とされるが、勿論のことながら、前記角度は穴の設計に、また処理チューブと炉断熱材４との間の空間５の幅に適用できる。
【００２３】
一実施例によれば、各カセット９は細長く、一般に四角形の横断面を有する。
【００２４】
炉断熱材４およびカセット９は酸化アルミニウム煉瓦のような高品質の煉瓦で作られることが好ましい。
【００２５】
前記本体１３が酸化アルミニウム煉瓦のような高品質の煉瓦で作られることも好ましい。
【００２６】
前述した穴は一般に四角形の横断面を有することが好ましい。
【００２７】
穴１２が水平の下面、平行な垂直側縁、および水平面に対する角度を定める上面を有することも好ましい。
【００２８】
そのような穴の設計の場合には、作動位置にあるときにカセット９が穴１２の上面に当接することになることが好ましい。
【００２９】
カセット９が穴１２と同じ幅を有し、またカセット９が取付けられたときに前記穴の上面に当接すると仮定すると、図１に示されるように穴１２には楔状の空間がカセット９の下側に形成される。この場合、本体１３は前記楔状の空間内に取付けられる形状とされる。したがって本体をカセットの下側に押し込むことで組み立てが終わる。この結果、炉断熱材は加熱部材の位置で基本的に熱漏れに対してシールされる。
【００３０】
本発明は冒頭に説明した問題点を解決することが明白となるであろう。
【００３１】
本発明は、前記加熱部材の位置で基本的に熱漏れに対するシールを達成する機能から逸脱することなく、カセットの設計、穴の形状、および前記本体の形状に関して変更できることも明白となるであろう。
【００３２】
したがって、本発明は上述で示した実施例に制限されると考えるべきでない。何故なら、変形および変更が添付の特許請求の範囲に記載した範囲内でなし得るからである。
【図面の簡単な説明】
【００３３】
【図１】加熱部材を備えた炉の一部の外観図である。
【図２】炉の一部の横断面図である。
【図３】加熱部材のカセットの斜視図である。
【図４】加熱部材のカセットの上から見た視図である。
【図５】側方からみた加熱部材のカセットの横断面図である。
【符号の説明】
【００３４】
１  炉
２  加熱部材
３  処理チューブ
４  炉断熱材
５  空間
６  加熱部分
７，８  電線または導電体
９  カセット
９ａ，９ｂ，９ｃ  カセットの位置
１０，１１  チャンネル
１２  穴
１３  本体
１４，１５  コンタクト・シュー
１６  加熱部材ホルダー
【図１】
2005532521.tif 000003
【図２】
2005532521.tif 000004
【図３】
2005532521.tif 000005
【図４】
2005532521.tif 000006
【図５】
2005532521.tif 000007
【国際調査報告】
2005532521.tif 000008
2005532521.tif 000009